(57)【要約】【目的】  日常、多岐に使用されている鍵の識別を図るとともに、キーシリンダに鍵ブレードを差し込む際、滑らないようにすることを目的とする。また、日常、多岐に使用されている鍵の種類に関わらず、カバーを装着できるようにすることを目的とする。また、容易に着脱可能な鍵つまみ部カバーを提供することを目的とする。【構成】  鍵ヘッド２２を収納し、収納された上記鍵ヘッド２２の面を両側から圧接する圧接部１１０と、上記圧接部１１０を外側から覆い、上記圧接部１１０が圧接する上記鍵ヘッド２２の面への圧接力を保持するカバー部２１０とを備えたことを特徴とする。【選択図】        図１
2005232735.tif 000002
【特許請求の範囲】
【請求項１】
鍵つまみ部を収納し、収納された上記鍵つまみ部の面を両側から圧接する圧接部と、
上記圧接部を外側から覆い、上記圧接部が圧接する上記鍵つまみ部の面への圧接力を保持するカバー部と
を備えたことを特徴とする鍵つまみ部カバー。
【請求項２】
上記カバー部は、上記圧接部に密着する柔軟素材を用いていることを特徴とする請求項１記載の鍵つまみ部カバー。
【請求項３】
上記圧接部は、
上記鍵つまみ部の面を両側から圧接する第１と第２の押さえ板と、
上記第１と第２の押さえ板を弾性変形可能に連結する連結部と
を有することを特徴とする請求項１記載の鍵つまみ部カバー。
【発明の詳細な説明】
【技術分野】
【０００１】
本発明は、キーシリンダに差し込まれ施錠或いは開錠する鍵ブレード（キーブレードともいう。）と鍵ブレードを抜き差し或いは回転させるために鍵を把持する部分である鍵つまみ部（鍵ヘッド、鍵の柄、或いはキーヘッドともいう。）を有する鍵、すなわち、一般的に用いられる鍵の上記鍵つまみ部をカバーする鍵つまみ部カバーに関する。
【背景技術】
【０００２】
日常生活において、自宅、倉庫、会社等の建物や自動車等のドア、自転車やバイク等の盗難防止ロック、机の引き出し、金庫の蓋等々を施錠し又は施錠を解除する際に、鍵はなくてはならない物となっている。
【０００３】
特にライフスタイルが多様化している近年、一人の人間が、様々な生活シーンにおいて鍵を使用し、鍵を多数所有することも珍しいことではなくなっている。
この際、鍵はキーホルダーやキーケース等に係着又は収納等され、ある程度識別しやすいように工夫が施されている。
【０００４】
鍵は一般に、指で把持される扁平な鍵つまみ部と、この鍵つまみ部から一体に延設され、周縁に特有の凸凹形状が形成されている鍵ブレード部とから構成されている。
【０００５】
しかしながら、鍵ブレード部の形状は、それぞれ特有の形状を有しているとはいっても、形状が複雑かつ微妙であるため、その形状だけで何の鍵かを識別することが困難である。そこで、鍵のつまみ部は、鍵を識別するための機能を果たさせるために、四角形、クローバ形、ダイヤ形、ハート形、丸形等の様々な形状に成形されている。
【０００６】
しかしながら、鍵つまみ部の形状は、その種類に限界があるため、全く同じ形状の鍵つまみ部を備えた鍵を複数所有する場合が少なくない。したがって、鍵のつまみ部の形状を差異のみでは、鍵の識別は困難であるという問題がある。また、鍵のつまみ部の外形を何らかの手段で区別すれば、鍵選択時の識別の問題はある程度は解決できるとしても、鍵つまみ部が鍵ブレード部に対称なものでは、鍵の表裏の判断まではできない。暗い場所（例えば、夜の駐車場や玄関）での鍵を使用する際や、視力の衰えた老人や身体障害者が鍵を使用する際においては、鍵の表裏の識別が困難で、鍵をうまく鍵穴へ挿入できないという問題があった。
【０００７】
以上のような問題を解決するためであるとして、天然皮革、合成皮革、布、紙、プラスチックフィルム等の柔軟で可撓性のある素材で形成されたシートを折り合わせて、両側片を接着又は縫着によって接合し、鍵の鍵つまみ部を収容する略四角形の袋に形成し、この袋の開口周囲に、マジックテープ（登録商標）が設けられている鍵識別用カバーが開示されている（特許文献１参照）。
【０００８】
また、前記鍵識別用カバーは、大きさが同じくらいの鍵つまみ部を有する種々の鍵に使用できるようにしているため、鍵識別用カバーに対して鍵つまみ部が若干小さめの鍵では、鍵に鍵識別用カバーを装着すると、鍵つまみ部が袋内を移動してしまい、鍵ブレードを鍵穴に挿入しにくいという問題があるとして、前記袋の開口に前記袋の内部に挿入される蓋を設け、該蓋の裏面に、摩擦係数を大きくするために、粗面を形成したり、ゴムのような摩擦係数の大きな材料を貼ったりして形成する滑り止め部を形成した鍵識別用カバーが開示されている（特許文献２参照）。
【０００９】
また、鍵つまみ部の面を合成樹脂で形成されたカバーそのもので圧着して鍵がカバーから容易に外れないようにした鍵の摘み部カバーが開示されている（特許文献３参照）。
【００１０】
その他、粘着シートやネジでカバーを鍵に固定した鍵の鍵つまみ部のカバーが開示されている（特許文献４〜７、非特許文献１参照）。また、携帯電話等のストラップに取り付けるために鍵をカバーするキーケースが開示されている（特許文献８参照）。
【特許文献１】実用新案登録第３０５２７２９号公報
【特許文献２】実用新案登録第３０９５３０４号公報
【特許文献３】実開平７−２９２３５号公報
【特許文献４】特開２００３−３２１９５７号公報
【特許文献５】実用新案登録第３０５２７２９号公報
【特許文献６】実用新案登録第３０４７６０６号公報
【特許文献７】特開平８−２８１０６号公報
【特許文献８】特開２００１−４６１３５号公報
【非特許文献１】“スーパーカラーマーケット〜ＫＥＹＤＲＯＰＳ  キーカバー”，ｈｔｔｐ：／／ｗｗｗ．ｓｕｐｅｒ−ｃｏｌｏｒ−ｍａｒｋｅｔ．ｃｏｍ／ｓｈｏｐ／ｋｅｙｄｒｏｐｓ．ｈｔｍｌ
【発明の開示】
【発明が解決しようとする課題】
【００１１】
しかしながら、発明者は、実際、上記特許文献２に対応する製品を購入し、鍵への装着具合を確認したが、ガタつきが生じてしまい、十分に鍵つまみ部の袋内の移動を抑止することはできなかった。すなわち、上記特許文献１のカバーを改良した特許文献２のカバーにおいて、鍵識別用カバーに対して鍵つまみ部が若干小さめの鍵でも鍵つまみ部が袋内を移動しないように前記袋の開口に前記袋の内部に挿入される蓋を設け、該蓋の裏面に、摩擦係数を大きくするために、粗面を形成したり、ゴムのような摩擦係数の大きな材料を貼ったりして形成する滑り止め部を形成したとしても、十分に鍵つまみ部の袋内の移動を抑止することはできない。これでは、キーシリンダに鍵ブレードを差し込む際、滑ってしまい差し込みにくい。また、鍵を回しにくい。
【００１２】
一方、ネジでカバーを鍵に固定した鍵の鍵つまみ部のカバーでは、取り付け、或いは取り外しをおこなうのに工具を必要としなければならず手間がかかり不便である。しかも、鍵を貫通するようにネジを取り付ける場合などは、さらに、カバーを装着できる鍵の種類が制限されてしまう。また、粘着シートでカバーを鍵に固定した鍵の鍵つまみ部のカバーでは、一端取り付けたら取り外しができない、或いは取り外しができたとしても鍵の鍵つまみ部の面に粘着剤の後が残ってしまい体裁が悪い。
【００１３】
また、合成樹脂で成型されたカバーでは、質感に欠ける。また、合成樹脂で成型するため割れないようにその強度を維持しなければならないため、カバーの厚さが厚くなってしまい体裁が悪い。
【００１４】
本発明は、日常、多岐に使用されている鍵の識別を図るとともに、キーシリンダに鍵ブレードを差し込む際、滑らないようにすることを目的とする。
【００１５】
また、本発明は、日常、多岐に使用されている鍵の種類に関わらず、カバーを装着できるようにすることを目的とする。
【００１６】
また、本発明は、容易に着脱可能な鍵つまみ部カバーを提供することを目的とする。
【課題を解決するための手段】
【００１７】
本発明の鍵つまみ部カバーは、
鍵つまみ部を収納し、収納された上記鍵つまみ部の面を両側から圧接する圧接部と、
上記圧接部を外側から覆い、上記圧接部が圧接する上記鍵つまみ部の面への圧接力を保持するカバー部と
を備えたことを特徴とする。
【００１８】
圧接部が収納された上記鍵つまみ部の面を両側から圧接することで、鍵つまみ部を固定する。さらに、カバー部で上記圧接部を外側から覆うことで、上記圧接部が圧接する上記鍵つまみ部の面への圧接力を保持する。
【００１９】
また、上記カバー部は、上記圧接部に密着する柔軟素材を用いていることを特徴とする。
【００２０】
カバー部が上記圧接部に密着するようにしているため、鍵の形状ではなく、圧接部の形状に合わせて形成される。圧接部の形状に合わせて形成されるため、圧接部とカバー部との間に隙間を生じさせにくくすることができる。また、柔軟素材を用いているため、圧接部の形状に合わせて形成されたカバー部で覆う際、取り付けやすく、カバー部を上記圧接部に密着するように被せることができる。
【００２１】
また、上記圧接部は、
上記鍵つまみ部の面を両側から圧接する第１と第２の押さえ板と、
上記第１と第２の押さえ板を弾性変形可能に連結する連結部と
を有することを特徴とする。
【００２２】
連結部により上記第１と第２の押さえ板を弾性変形可能に連結することで、第１と第２の押さえ板の内側面の隙間が鍵つまみ部の面の厚さより小さいときは、連結部を支点に働く第１と第２の押さえ板の弾性力で上記鍵つまみ部の面が圧接される。また、カバー部で上記圧接部を外側から覆うことで、上記圧接部が圧接する上記鍵つまみ部の面への圧接力を保持する。また、第１と第２の押さえ板の内側面の隙間が鍵つまみ部の面の厚さより大きいときは、カバー部で上記圧接部を外側から覆うことで、連結部を支点に第１と第２の押さえ板を弾性変形させ、上記鍵つまみ部の面を両側から圧接し、上記圧接部が圧接する上記鍵つまみ部の面への圧接力を保持する。
【発明の効果】
【００２３】
本発明によれば、カバー部で上記圧接部を外側から覆うことで、上記圧接部が圧接する上記鍵つまみ部の面への圧接力を保持することで、鍵つまみ部の大きさに関わらず、鍵つまみ部カバーへの鍵つまみ部の固定を維持させ、鍵つまみ部カバーと鍵つまみ部との間のガタつきを防止することができる。ガタつきを防止することができるので、キーシリンダに鍵ブレードを差し込む際、滑らないようにすることができる。滑らないようにすることができるので、キーシリンダに対して鍵ブレードの差し込みにくさを解消し、鍵ブレードを差し込みやすくすることができる。また、鍵の回しにくさを解消し、鍵を回しやすくすることができる。さらに、圧接部に鍵つまみ部を収納し、カバー部で上記圧接部を外側から覆うだけなので、特別な工具を使用しないでも鍵に鍵つまみ部カバーを着脱することができる。特別な工具を使用しないでも鍵に鍵つまみ部カバーを着脱することができるので、時と場所を選ばずに容易に着脱することができる。
【００２４】
また、本発明によれば、圧接部とカバー部との間に隙間を生じさせにくくすることができるので、圧接部とカバー部との間のガタつきを防止することができる。ひいては、鍵つまみ部カバーと鍵つまみ部との間のガタつきを防止することができる。また、自動車のハンドル等を皮革カバーで覆うことが好まれるように、カバー部に用いる柔軟素材として、皮革等を用いることにより、質感を向上させることができる。質感を向上させることにより、鍵の識別力を高めるだけでなく、ファッション性を高めることにもつながる。また、高級感を醸し出し、鍵自体の所有感を高めることにもつながる。また、金属の鍵のままでは、ユーザが把持した際、汗等で滑る場合があるが、カバー部に用いる柔軟素材として、皮革等を用いることにより、素材そのものとしての滑りを防止することができる。
【００２５】
また、本発明によれば、連結部により連結された上記第１と第２の押さえ板で鍵つまみ部を挟むので、単に袋状の革カバー等で被服、或いは収納する場合と比べ、鍵を固定する固定力を高めることができる。さらに、カバー部で覆うため、高められた固定力を保持することができる。また、連結部により連結された上記第１と第２の押さえ板で鍵つまみ部を挟むので、鍵つまみ部の大きさを問わず、日常用いられる鍵に対応させることができる。日常用いられる鍵に対応させることができるので、上記効果を得ながら既に存在する鍵に後から取り付けることができる。
【発明を実施するための最良の形態】
【００２６】
実施の形態１．
図１は、実施の形態１における構成を示す図である。
図１において、鍵つまみ部カバーは、圧接部１１０とカバー部２１０とを備えている。圧接部１１０は、第１の押さえ板１１１と第２の押さえ板１１２、そして、第１の押さえ板１１１と第２の押さえ板１１２とを各押さえ板の周辺部の一部で連結する連結部１１３を有している。圧接部１１０は、押さえ板１１１と押さえ板１１２と連結部１１３とが一体として形成され、形状として、「コ」の字型に近い形状、或いは、アルファベット「Ｕ」字型に近い形状に形成されている。圧接部１１０は、連結部１１３或いはその付近を支点に第１の押さえ板１１１と第２の押さえ板１１２とが弾性変形する、いわゆるクリップ状に形成されている。連結部１１３には、鍵２０の鍵ブレード２２を挿通する長孔１１４を設けている。圧接部１１０は、例えば、銀、ステンレス、アルミニウム、ブリキ材等の金属、或いは樹脂等を用いる。割れたり折れたりしないだけの厚さで形成する場合に、押さえ板１１１，１１２や連結部１１３の厚さを、例えば、１〜３ｍｍ程度で形成することができる。もっと薄くすることも可能である。厚さを薄くすることができるのでコンパクトに形成することができる。また、金属や樹脂等を用いることで、後述するように、鍵２０の鍵ヘッド２１を挟み込んだ際、十分鍵ヘッド２１を固定することができる。特に、金属を用いた場合には、弾性力を大きくすることもできる。
【００２７】
また、カバー部２１０は、天然皮革、合成皮革、布（例えば、繊維布）、紙、ゴム、樹脂（例えば、プラスチックフィルム）等の柔軟素材を用いて形成されている。カバー部２１０は、収納部２１２と蓋２１１とが連結部２１３で一体となって連結されている。収納部２１２には、鍵２０の鍵ブレード２２を挿通する長孔２１４を設けている。蓋２１１には、長孔２１４に引っ掛けるフック２１５を設けている。また、蓋２１１には、他の部品等へ取り付けられるように、或いはキーホルダーとして使用できるようにカン３が取り付けてある。カバー部２１０は、が上記圧接部１１０に密着するようにしているため、鍵２０の形状ではなく、圧接部１１０の形状に合わせて形成されている。また、柔軟素材、特に、弾性変形可能な素材（伸び縮みする素材）を用いる場合、カバー部は、圧接部の形状にぴったり合うように、或いは少し小さく形成されてもよい。圧接部の形状にぴったり合うように、或いは少し小さく形成されることでさらに上記圧接部に密着性を向上させることができる。
【００２８】
まず、圧接部１１０の押さえ板１１１の内側面と押さえ板１１２の内側面との間に鍵２０を鍵ブレード２２から差し込む。差し込む方向は、連結部１１３と反対の方向から差し込む。鍵２０を差し込んでいき、鍵ブレード２２を長孔１１４に挿通させる。長孔１１４は、鍵ブレード２２が挿通できるだけの長さと高さを有し、鍵ヘッド２１は、通過できない大きさに形成されている。鍵２０は、鍵ヘッド２１が押さえ板１１１と押さえ板１１２との間に収納され、挟まれる位置まで差し込む。差し込むことで鍵ヘッド２１を挟み固定する。
【００２９】
図２は、圧接部１１０に鍵２０が収納された様子を示す図である。
図３は、圧接部に鍵が圧接される様子を示す図である。
図２、図３では、押さえ板１１１の内側面と押さえ板１１２の内側面との間の隙間が鍵ヘッド２１の面の厚さより小さい場合を示している。かかる場合、連結部１１３を支点に働く押さえ板１１１と押さえ板１１２の弾性力で上記鍵ヘッド２１の面が圧接される。図３に示すように、押さえ板１１２は、鍵ヘッド２１の面の厚さより隙間を設けた連結部１１３から内側に傾斜して伸び、鍵ヘッド２１の面に当たる位置で外側に角度を曲げて伸びている。このような形状とすることで、連結部１１３付近では、鍵ブレード２２及び鍵ヘッド２１を挿入し易くし、また、鍵ヘッド２１の面に当たる位置では確実に圧接できるようにすることができる。また、鍵ヘッド２１を挟む部位を平面状とし、外側に曲げる角度を鍵ヘッド２１の面に当たる際、押さえ板１１２の平面状した部位が面で鍵ヘッド２１の面を圧接するようにすれば、さらに、圧接力を高めることができる。
【００３０】
次に、カバー部２１０で圧接部１１０を覆う。図１では、圧接部１１０の上から収納部２１２をかぶせる。この際、長孔２１４に鍵ブレード２２を挿通させる。長孔２１４は、鍵ブレード２２が挿通できるだけの長さと高さを有し、鍵ヘッド２１は、通過できない大きさに形成されている。そして、連結部２１３を支点に矢印の方向に蓋２１１を折り曲げ、フック２１５の先のカギ部を長孔２１４に引っ掛けて固定する。カバー部２１０は圧接部１１０の形状に合わせて形成されているため、圧接部１１０とカバー部２１０との間に隙間を生じさせにくくすることができる。また、柔軟素材を用いているため、圧接部１１０をカバー部２１０で覆う際、取り付けやすく、カバー部２１０を上記圧接部１１０に密着するようにかぶせることができる。圧接部１１０で鍵ヘッド２１を圧接しているため、カバー部２１０の材質を上述したように、天然皮革、合成皮革、布、紙、プラスチックフィルム等と自由に選ぶことができる。
【００３１】
図４は、カバー部２１０で圧接部１１０を覆った状態を示す図である。
図４（ａ）では、外側から見える様子を示している。図４（ｂ）では、便宜上、鍵つまみ部カバー内部の鍵２０の様子を示している。
【００３２】
以上のように、圧接部１１０が収納された上記鍵ヘッド２１の面を両側から圧接することで、鍵ヘッド２１を固定する。さらに、カバー部２１０で上記圧接部１１０を外側から覆うことで、上記圧接部１１０が圧接する上記鍵ヘッド２１の面への圧接力を保持する。また、押さえ板１１１と押さえ板１１２との間に鍵２０を鍵ブレード２２から差し込むことから、鍵ヘッド２１の大きさを問わず使用することができる。上記鍵ヘッド２１の面への圧接力を保持することから、鍵ヘッド２１の大きさに関わらず、鍵ヘッド２１の固定を維持させ、鍵つまみ部カバーと鍵ヘッド２１との間のガタつきを防止することができる。ガタつきを防止することができるので、キーシリンダに鍵ブレードを差し込む際、滑らないようにすることができる。
【００３３】
実施の形態２．
図５は、圧接部の他の例を示す図である。
図５において、圧接部１２０は、第１の押さえ板１２１と第２の押さえ板１２２、そして、第１の押さえ板１２１と第２の押さえ板１２２とを各押さえ板の周辺部の一部で連結する連結部１２３を有している。圧接部１２０は、押さえ板１２１と押さえ板１２２と連結部１２３とが一体として形成され、形状として、「コ」の字型に近い形状、或いは、アルファベット「Ｕ」字型に近い形状に形成されている。圧接部１２０は、連結部１２３或いはその付近を支点に第１の押さえ板１２１と第２の押さえ板１２２とが弾性変形する。図５では、押さえ板１２１の内側面と押さえ板１２２の内側面との間の隙間が鍵ヘッド２１の面の厚さより大きい場合を示している。圧接部１２０の押さえ板１２１と押さえ板１２２との間に鍵２０を鍵ヘッド２１から差し込む。差し込む方向は、連結部１２３と反対の方向から差し込む。差し込んだら固定具１２５で押さえ板１２１と押さえ板１２２とを挟むように固定具１２５を取り付ける。固定具１２５を取り付けることにより、押さえ板１２１の内側面と押さえ板１２２の内側面との間の隙間が鍵ヘッド２１の面の厚さより小さくなるように固定具１２５の寸法が設定されている。そして、固定具１２５を取り付ける際、固定具１２５に設けられた長孔１２４に鍵ブレード２２を挿通させる。押さえ板１２１と押さえ板１２２とを挟むように固定具１２５を取り付けることで、鍵ヘッド２１を圧接し、固定する。そして、カバー部２１０で上記圧接部１２０を外側から覆うことで、実施の形態１と同様の効果を得ることができる。カバー部２１０で上記圧接部１２０を外側から覆うことで、さらに、固定具１２５が外れるのを防止することができる。また、ここでは、押さえ板１２１と押さえ板１２２と連結部１２３とが一体として形成されているが、押さえ板１２１と押さえ板１２２とが連結部１２３を軸に回動可能に形成されてもよい。固定具１２５で押さえ板１２１と押さえ板１２２とを連結部１２３と反対側（開放側）で固定することで同様の効果を得ることができる。
【００３４】
図６は、圧接部に鍵が圧接される様子を示す図である。
図６では、押さえ板１２１の内側面と押さえ板１２２の内側面との間の隙間が鍵ヘッド２１の面の厚さより大きい場合を示している。かかる場合、押さえ板１２１と押さえ板１２２とを挟むように固定具１２５を取り付けることで、連結部１２３を支点に押さえ板１２１と押さえ板１２２を弾性変形させ、上記鍵ヘッド２１の面が圧接される。固定具１２５で押さえ板１２１と押さえ板１２２を弾性変形させることで、連結部１２３とは反対側の固定具１２５に近い位置で、特に、固定具１２５からの拘束力を受けるため、連結部１２３とは反対側の固定具１２５に近い位置で鍵ヘッド２１の面と面接触するように弾性変形させることができる。面接触させることで、より圧接力を高めることができる。
【００３５】
ここで、図５では、押さえ板１２１と押さえ板１２２とを挟むように固定具１２５を取り付けているが、固定具１２５を使わずに、カバー部２１０で上記圧接部１２０を外側から覆うことで、連結部１２３を支点に押さえ板１２１と押さえ板１２２を弾性変形させ、上記鍵ヘッド２１の面を両側から圧接し、上記圧接部１２０が圧接する上記鍵ヘッド２１の面への圧接力を保持するようにしても構わない。
【００３６】
図７は、圧接部の他の例を示す図である。
図７において、圧接部１３０は、第１の押さえ板１３１と第２の押さえ板１３２、そして、第１の押さえ板１３１と第２の押さえ板１３２とを各押さえ板の周辺部の一部で連結する連結部１３３を有している。圧接部１３０は、押さえ板１３１と押さえ板１３２と連結部１３３とが一体として形成され、形状として、「コ」の字型に近い形状、或いは、アルファベット「Ｕ」字型に近い形状に形成されている。ただし、押さえ板１３１の先端部には、鍵２０の固定を保つための保持部としての爪部１３５が設けられている。圧接部１３０は、連結部１３３を支点に第１の押さえ板１３１と第２の押さえ板１３２とが弾性変形する。図７では、押さえ板１３１の内側面と押さえ板１３２の内側面との間の隙間が連結部１３３から遠い側で鍵ヘッド２１の面の厚さより大きい場合を示している。圧接部１３０の押さえ板１３１と押さえ板１３２との間に鍵２０を鍵ヘッド２１から差し込む。差し込む方向は、連結部１３３と反対の方向から差し込む。図７では、図５における固定具１２５の代わりに、押さえ板１３１の先端部に設けられた爪部１３５を押さえ板１３２に引っ掛けることで押さえ板１３１と押さえ板１３２とを挟むように固定する。その際、２つの爪部１３５の間には、鍵ブレード２２を挿通させるに必要な隙間が設けられている。押さえ板１３１と押さえ板１３２とを挟むように爪部１３５を押さえ板１３２に引っ掛けることで、押さえ板１３１の内側面と押さえ板１３２の内側面との間の隙間が鍵ヘッド２１の面の厚さより小さくなるように設定されている。そこで、押さえ板１３１と押さえ板１３２とを挟むように爪部１３５を押さえ板１３２に引っ掛けることで、鍵ヘッド２１を圧接し、固定する。そして、カバー部２１０で上記圧接部１３０を外側から覆うことで、実施の形態１と同様の効果を得ることができる。カバー部２１０で上記圧接部１３０を外側から覆うことで、さらに、爪部１３５が外れるのを防止することができる。
【００３７】
図８は、圧接部に鍵が圧接される様子を示す図である。
図８では、押さえ板１３１の内側面と押さえ板１３２の内側面との間の隙間が鍵ヘッド２１の面の厚さより大きい場合を示している。かかる場合、押さえ板１３１と押さえ板１３２とを挟むように爪部１３５を押さえ板１３２に引っ掛けることで、連結部１３３を支点に押さえ板１３１と押さえ板１３２を弾性変形させ、上記鍵ヘッド２１の面が圧接される。図８では、爪部１３５を押さえ板１３２に引っ掛けることで、連結部１３３とは反対側、すなわち、押さえ板１３１と押さえ板１３２との開放側付近で、特に、鍵ヘッド２１の面が圧接される。よって、押さえ板１３１と押さえ板１３２との開放側付近での鍵ヘッド２１の面への圧接力を大きくすることができる。或いは、連結部１３３付近の押さえ板１３１の内側面と押さえ板１３２の内側面との間の隙間が鍵ヘッド２１の面の厚さより小さくすることにより、てこの原理で、連結部１３３付近での鍵ヘッド２１の面への圧接力を大きくするようにしても構わない。
【００３８】
図９は、圧接部に鍵が圧接される様子を示す図である。
図９では、図３における圧接部１１０に長孔１１４を設けず、図３とは逆向きに使用する例を示している。そして、カバー部２１０で上記圧接部１１０を外側から覆うことで、実施の形態１と同様の効果を得ることができる。
【００３９】
図１０は、圧接部の他の例に鍵が圧接される様子を示す図である。
図１０では、図８における圧接部１３０の連結部１３３に長孔１３４を設け、長孔１３４に鍵ブレード２２を挿通させるように取り付ける。すなわち、図８とは逆向きに使用する例を示している。そして、カバー部２１０で上記圧接部１３０を外側から覆うことで、実施の形態１と同様の効果を得ることができる。
【００４０】
図１１は、圧接部の他の例に鍵が圧接される様子を示す図である。
図１１において、圧接部１４０は、第１の押さえ板１４１と第２の押さえ板１４２、そして、第１の押さえ板１４１と第２の押さえ板１４２とを各押さえ板の周辺部の一部で連結する連結部１４３を有している。圧接部１４０は、押さえ板１４１と押さえ板１４２と連結部１４３とが一体として形成され、形状として、「コ」の字型に近い形状、或いは、アルファベット「Ｕ」字型に近い形状に形成されている。ただし、押さえ板１４２の先端部には、内側に折り返すように形成された返し部１４５が設けられている。返し部１４５は、押さえ板１４２の先端で内側に折り返された後、押さえ板１４１に向かって傾斜して伸びている。圧接部１４０は、連結部１４３を支点に第１の押さえ板１４１と第２の押さえ板１４２とが弾性変形する。また、押さえ板１４２の先端部を支点に返し部１４５が弾性変形する。図１１では、押さえ板１４１の内側面と返し部１４５の押さえ板１４１側の面との間の隙間が鍵ヘッド２１の面の厚さより小さい場合を示している。圧接部１４０の押さえ板１４１と返し部１４５との間に鍵２０を鍵ヘッド２１から差し込む。差し込む方向は、連結部１４３と反対の方向から差し込む。返し部１４５の開放側の先端は、鍵２０が差し込まれた際、鍵ヘッド２１の面に接触する位置まで押さえ板１４２の先端から伸びるように形成されている。鍵２０が差し込まれた際、鍵ヘッド２１の面に接触する位置に返し部１４５の開放側の先端を合わせることで、より確実に鍵ヘッド２１の面を圧接することができる。そして、鍵２０を差し込むことで、押さえ板１４１と返し部１４５で、収納された上記鍵ヘッド２１の面を両側から圧接し、鍵ヘッド２１を固定する。そして、カバー部２１０で上記圧接部１４０を外側から覆うことで、実施の形態１と同様の効果を得ることができる。
【００４１】
図１２は、圧接部の他の例に鍵が圧接される様子を示す図である。
図１２では、図１１における圧接部１４０の連結部１４３に長孔１４４を設け、長孔１４４に鍵ブレード２２を挿通させるように取り付ける。すなわち、図１１とは逆向きに使用する例を示している。そして、カバー部２１０で上記圧接部１４０を外側から覆うことで、実施の形態１と同様の効果を得ることができる。
【００４２】
実施の形態３．
上記各実施の形態では、圧接部の２つの押さえ板の各内側面で鍵ヘッド２１の面を両側から圧接し、圧接部の２つの押さえ板の各内側面或いは実際に接触している線の摩擦抵抗により鍵ヘッド２１を固定していた。実施の形態３では、各押さえ板の内側面の少なくとも一方にさらに滑り止め部を設けることで、圧接した際の摩擦抵抗を高めるようにした。
【００４３】
図１３は、実施の形態３における圧接部に鍵２０が収納された様子を示す図である。
図１３（ａ）では、圧接部１５０に鍵２０が収納された様子を示している。図１３（ｂ）（ｃ）では、圧接部１５０の構成と鍵２０の差し込み向きとが示されている。圧接部１５０は、第１の押さえ板１５１と第２の押さえ板１５２、そして、第１の押さえ板１５１と第２の押さえ板１５２とを各押さえ板の周辺部の一部で連結する連結部１５３を有している。押さえ板１５２の鍵ヘッド２１の面と接触する部分には、滑り止め部１５６が設けられている。滑り止め部１５６は、摩擦係数を大きくするために、粗面が形成されている。圧接部１５０は、連結部１５３を支点に第１の押さえ板１５１と第２の押さえ板１５２とが弾性変形する。図１３では、押さえ板１５１の内側面と押さえ板１５２の内側面との間の隙間が鍵ヘッド２１の面の厚さより大きい場合を示している。図１３に示すように、圧接部１５０の押さえ板１５１と押さえ板１５２との間に鍵２０を差し込む。鍵２０の差し込み向きは、連結部１５３に設けられた長孔１５４に鍵ブレード２２側から差し込む（図１３（ｂ））。連結部１５３に長孔を設けない構造の場合は、鍵ヘッド２１側から差し込む（図１３（ｃ））。鍵２０は、連結部１５３と反対側から連結部１５３側に向かって差し込む。そして、カバー部２１０で上記圧接部１５０を外側から覆うことで、連結部１５３を支点に押さえ板１５１と押さえ板１５２を弾性変形させ、上記鍵ヘッド２１の面を両側から圧接し、上記圧接部１５０が圧接する上記鍵ヘッド２１の面への圧接力を保持する。以上により、実施の形態１と同様の効果を得ることができる。
【００４４】
図１４は、実施の形態３における圧接部の他の例に鍵２０が収納された様子を示す図である。
図１４（ａ）では、圧接部１６０に鍵２０が収納された様子を示している。図１４（ｂ）（ｃ）では、圧接部１６０の構成と鍵２０の差し込み向きとが示されている。圧接部１６０は、第１の押さえ板１６１と第２の押さえ板１６２、そして、第１の押さえ板１６１と第２の押さえ板１６２とを各押さえ板の周辺部の一部で連結する連結部１６３を有している。押さえ板１６２の鍵ヘッド２１の面と接触する部分には、滑り止め部１６６が設けられている。滑り止め部１６６は、摩擦係数を大きくするために、ゴムシートが貼られている。或いは、ゴムシートは、押さえ板１６１の鍵ヘッド２１の面と接触する部分に貼られていてもよい。或いは、押さえ板１６１と押さえ板１６２との両方に貼られていてもよい。或いは、ゴムシートを押さえ板に貼らずに、単に、ゴムシートで鍵ヘッド２１の面を挟んでもよい。圧接部１６０は、連結部１６３を支点に第１の押さえ板１６１と第２の押さえ板１６２とが弾性変形する。図１４では、押さえ板１６１の内側面と押さえ板１６２の内側面との間の隙間が連結部１６３から遠い位置（開放側）で鍵ヘッド２１の面の厚さより大きい場合を示している。図１４に示すように、圧接部１６０の押さえ板１６１と押さえ板１６２との間に鍵２０を差し込む。鍵２０の差し込み向きは、連結部１６３に設けられた長孔１６４に鍵ブレード２２側から差し込む（図１４（ｂ））。連結部１６３に長孔を設けない構造の場合は、鍵ヘッド２１側から差し込む（図１４（ｃ））。鍵２０は、連結部１６３と反対側から連結部１６３側に向かって差し込む。図１４では、連結部１６３に長孔１６４を設け、長孔１６４に鍵ブレード２２を挿通させるようになっている。よって、鍵ブレード２２側から差し込む場合には、長孔１６４に鍵ブレード２２を挿通させるように取り付ける。そして、カバー部２１０で上記圧接部１６０を外側から覆うことで、連結部１６３を支点に押さえ板１６１と押さえ板１６２を弾性変形させ、上記鍵ヘッド２１の面を両側から圧接し、上記圧接部１６０が圧接する上記鍵ヘッド２１の面への圧接力を保持する。以上により、実施の形態１と同様の効果を得ることができる。
【００４５】
ここで、圧接部の構成を上記実施の形態で説明したいずれかの圧接部を用いて、かかる圧接部の押さえ板の鍵ヘッド２１の面と接触する部分に滑り止め部を設けても同様の効果を得ることができる。
【００４６】
実施の形態４．
図１５は、カバー部の他の例を示す図である。
図１５において、カバー部２２０は、天然皮革、合成皮革、布、紙、プラスチックフィルム等の柔軟素材を用いて形成されている。カバー部２２０は、収納部２２２と蓋２２１とが連結部２２３で一体となって連結されている。収納部２２２の底部には、鍵２０の鍵ブレード２２を挿通する長孔２２４を設けている。蓋２２１と収納部２２２とには、圧接部を収納部２２２に収納した後、互いを結ぶスナップボタン（ホックボタン）８が取り付けられている。カバー部２２０は、使用する圧接部に密着するようにしているため、鍵２０の形状ではなく、圧接部の形状に合わせて形成されている。
【００４７】
図１６は、カバー部の他の例を示す図である。
図１６では、図１５におけるカバー部２２０のスナップボタン８の代わりにマジックテープ（登録商標）９を用いたカバー部を示している。
【００４８】
図１７は、カバー部の他の例を示す図である。
図１７（ａ）において、カバー部２３０は、天然皮革、合成皮革、布、紙、プラスチックフィルム等の柔軟素材を用いて形成されている。カバー部２３０は、収納部２３２と蓋２３１とが連結部２３３で一体となって連結されている。収納部２３２には、鍵２０の鍵ブレード２２を挿通する長孔２３４を設けている。蓋２３１には、長孔２３４に引っ掛けるフック２３５を設けている。カバー部２３０は、使用する圧接部に密着するようにしているため、鍵２０の形状ではなく、使用する圧接部の形状に合わせて形成されている。また、蓋２３１には、装飾性、或いはファッション性を高める飾りプレート７を取り付けている。
図１７（ｂ）には、フック２３５の他の例としての、フック２４５が示されている。フック２４５は、引っ掛け部が略５角形のホームベース型に形成されている。先端を尖らせるようにすることにより、長孔２３４に引っ掛けやすくしている。図１７（ｃ）には、フック２３５の代わりに止め金ピン２５５を用いて、止め金ピン２５５の両端部を長孔２３４の長手方向両側に引っ掛けるようにして用いる例を示している。ここでは、引っ掛け部が略五角形のホームベース型に形成されたフックを一例として挙げているが、これに限るものではなく、その他、収納部２３２と蓋２３１とが固定、或いは連結できれば、いかなる形状であってもよい。
【００４９】
実施の形態５．
図１８は、カバー部で圧接部を覆った状態を示す図である。
図１８（ａ）では、図４と同様の鍵つまみ部カバーが装着された鍵２０を示している。図１８（ｂ）では、圧接部の形状をハート型に形成し、カバー部を圧接部の形状に合わせて形成されている鍵つまみ部カバーが装着された鍵２０を示している。図１８（ｃ）では、圧接部の形状を鍵の長手方向と直角に長い形状に形成し、カバー部を圧接部の形状に合わせて形成されている鍵つまみ部カバーが装着された鍵２０を示している。図１８（ｄ）では、圧接部の形状を８角形に形成し、カバー部を圧接部の形状に合わせて形成されている鍵つまみ部カバーが装着された鍵２０を示している。カバー部には、８角形の一辺にカンを取り付けるための装飾が施されている。
以上のように、圧接部とカバー部の形状を自由に設けても構わない。
【００５０】
実施の形態６．
図１９は、実施の形態６におけるカバー部で圧接部を覆った状態を示す断面図である。
図１９では、鍵つまみ部カバーに厚みを持たせた形状で構成した例を示している。圧接部１７０は、中央部を厚く、両端部に向かって薄くした形状に形成されている。カバー部２７０は、圧接部１７０の形状に合わせて形成されている。圧接部１７０は、例えば、樹脂等で成型する。そして、連結された２つの樹脂部材の内側面に挟むことで鍵ヘッド２１の面を圧接する。
【００５１】
実施の形態７．
図２０は、圧接部或いはカバー部に装飾を施した例を示す図である。
図２０（ａ）は、カバー部２８０に装飾を施した例を示す。図２０（ｂ）は、カバー部２８２に飾りプレート７を取り付けた例を示す。図２０（ｃ）は、圧接部１８０に装飾を施し、圧接部１８０の周囲のみカバー部２８４で覆った例を示す。図２０（ｄ）は、圧接部１８２に装飾を施し、圧接部１８２の周囲のみカバー部２８６で覆った例を示す。図２０（ｄ）では、圧接部１８２を外部に見せる位置を変更したものである。
【００５２】
以上のように、圧接部で圧接し、カバー部で上記圧接部を外側から覆うことで、上記圧接部が圧接する上記鍵ヘッドの面への圧接力を保持し、保持することで、鍵ヘッドの大きさに関わらず、鍵つまみ部カバーへの鍵ヘッドの固定を維持させ、単に革カバーで覆うのに比べ、鍵つまみ部カバーと鍵ヘッドとの間のガタつきを防止することができる。ガタつきを防止することができるので、キーシリンダに鍵ブレードを差し込む際、滑らないようにすることができる。滑らないようにすることができるので、キーシリンダに対して鍵ブレードの差し込みにくさを解消し、鍵ブレードを差し込みやすくすることができる。また、鍵の回しにくさを解消し、鍵を回しやすくすることができる。さらに、圧接部に鍵ヘッドを収納し、カバー部で上記圧接部を外側から覆うだけなので、特別な工具を使用しないでも鍵に鍵つまみ部カバーを着脱することができる。特別な工具を使用しないでも鍵に鍵つまみ部カバーを着脱することができるので、時と場所を選ばずに容易に着脱することができる。
【００５３】
また、以上のように、圧接部には、鍵の固定を保つために、先端に爪状の保持部を設けたり、滑りを防止するために必要に応じ圧接部にゴムシートを狭着、或いは圧接部自体に曲げ、折り返し爪、ディンプル、接地面を荒らす等、様々な加工手法をとることもできる。また、圧接部は、鍵ヘッドを挟む部位が平面となることが望ましく、鍵ヘッドを挟む部位が平面となる以外は、立体造形等を含め、様々な形状、大きさで製作が可能である。そして、材料も金属或いは樹脂等を用いる。また、圧接部の形状及び大きさに合わせた鍵、或いは鍵ヘッドを製作し、装飾品の装着を可能としてもよい。これにより鍵ヘッドの大きさに関わらず装飾品が装着可能となる。
【００５４】
また、以上のように、カバー部は、鍵ヘッド自体或いは圧接部に合わせた形状及び大きさで形成し、上下左右、いずれの方向から被覆するようにしてもよい。被覆したカバー部の固定方法は、折り返し部、或いは余剰部を紐で締結したり、ピン、フック、クリップ、ボタン、スナップ（ホック）ボタン、ベルクロ（マジックテープ（登録商標））その他の接着テープ類を用いて、接着、嵌着、狭着等をおこなう。その他の手法であってもよい。そして、カバー部には、繊維布、皮革、樹脂、ゴム等の材質の生地を用いた袋状、或いは枠状の部品を用いている。これにより鍵ヘッド自体或いは圧接部を被覆し、体裁を向上、或いは質感を向上させることができる。質感を向上させることにより、鍵の識別力を高めるだけでなく、ファッション性を高めることにもつながる。同様に、形状をさまざまな形状に加工することでファッション性を高めることにもつながる。よって、高級感を醸し出し、或いはユーザの趣向に合わせることができ、鍵自体の所有感を高めることにもつながる。また、日常用いられる鍵に対応させることができるので、上記効果を得ながら既に存在する鍵に後から取り付けることができる。
【００５５】
また、以上のように、ユーザ（使用者）の識別及び装飾性、ならびに所有感の向上を図るため、鍵ヘッド自体、圧接部或いは／及びカバー部に立体造形物を載設、または飾りプレート等を鋲着、接着等で設け、文字、絵、写真などを彫刻、打刻、レーザー刻印等で印すようにしてもよい。また、携行の利便性を向上させるため、鍵ヘッド自体、圧接部或いは／及びカバー部に、樹脂、金属製等のカン、クリップ、フック等を添着し、そこにキーホルダーやストラップ、スナカン等を容易に取り付け、または鍵自体をベルトやポケット等に容易に吊着等できるようにしてもよい。
【００５６】
最後に、家屋、自動車等、大切な所有物、財産物等の管理には、多岐にわたり鍵が使用されている。上記実施の形態かかる鍵つまみ部カバーによれば、上記技術的効果に加え、鍵本来の使用方法を妨げずに、さらに、高い装飾性を得ることができる。よって、鍵自体に価値観を与え、その結果、所有物、財産物等の管理意識をさらに高めることができる。管理意識を高めることにより、鍵の紛失、盗難等を未然に防止することにもつなげることができる。
【図面の簡単な説明】
【００５７】
【図１】実施の形態１における構成を示す図である。
【図２】圧接部１１０に鍵２０が収納された様子を示す図である。
【図３】圧接部に鍵が圧接される様子を示す図である。
【図４】カバー部２１０で圧接部１１０を覆った状態を示す図である。
【図５】圧接部の他の例を示す図である。
【図６】圧接部に鍵が圧接される様子を示す図である。
【図７】圧接部の他の例を示す図である。
【図８】圧接部に鍵が圧接される様子を示す図である。
【図９】圧接部の他の例に鍵が圧接される様子を示す図である。
【図１０】圧接部の他の例に鍵が圧接される様子を示す図である。
【図１１】圧接部の他の例に鍵が圧接される様子を示す図である。
【図１２】圧接部の他の例に鍵が圧接される様子を示す図である。
【図１３】実施の形態３における圧接部に鍵２０が収納された様子を示す図である。
【図１４】実施の形態３における圧接部の他の例に鍵２０が収納された様子を示す図である。
【図１５】カバー部の他の例を示す図である。
【図１６】カバー部の他の例を示す図である。
【図１７】カバー部の他の例を示す図である。
【図１８】カバー部で圧接部を覆った状態を示す図である。
【図１９】実施の形態６におけるカバー部で圧接部を覆った状態を示す断面図である。
【図２０】圧接部或いはカバー部に装飾を施した例を示す図である。
【符号の説明】
【００５８】
３  カン、７  飾りプレート、８  スナップボタン、９  マジックテープ（登録商標）、２０  鍵、２１  鍵ヘッド、２２  鍵ブレード、１１０，１２０，１３０，１４０，１５０，１６０，１７０，１８０，１８２  圧接部、１１１，１１２，１２１，１２２，１３１，１３２，１４１，１４２，１５１，１５２，１６１，１６２  押さえ板、１１３，１２３，１３３，１４３，１５３，１６３  連結部、１１４，１２４，１３４，１４４，１６４  長孔、１２５  固定具、１３５  爪部、１４５  返し部、１５６，１６６  滑り止め部、２１０,２２０，２４０，２５０，２６０，２７０，２８０，２８２，２８４，２８６  カバー部、２１１，２２１，２３１  蓋、２１２，２２２，２３２  収納部、２１３，２２３，２３３  連結部、２１４，２２４，２３４  長孔、２１５，２４５  フック、２５５  止め金ピン。
【図１】
2005232735.tif 000003
【図２】
2005232735.tif 000004
【図３】
2005232735.tif 000005
【図４】
2005232735.tif 000006
【図５】
2005232735.tif 000007
【図６】
2005232735.tif 000008
【図７】
2005232735.tif 000009
【図８】
2005232735.tif 000010
【図９】
2005232735.tif 000011
【図１０】
2005232735.tif 000012
【図１１】
2005232735.tif 000013
【図１２】
2005232735.tif 000014
【図１３】
2005232735.tif 000015
【図１４】
2005232735.tif 000016
【図１５】
2005232735.tif 000017
【図１６】
2005232735.tif 000018
【図１７】
2005232735.tif 000019
【図１８】
2005232735.tif 000020
【図１９】
2005232735.tif 000021
【図２０】
2005232735.tif 000022
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
鍵つまみ部を収納し、収納された上記鍵つまみ部の面を両側から挟む第１と第２の押さえ板と、
上記第１と第２の押さえ板が上記鍵つまみ部の面を両側から挟んだ状態で、上記第１と第２の押さえ板の少なくとも外周部全体を、柔軟素材を用いて外側から密着して覆うカバー部と、
を備えたことを特徴とする鍵つまみ部カバー。
【請求項２】
上記第１と第２の押さえ板は、弾性変形可能に連結されていることを特徴とする請求項１記載の鍵つまみ部カバー。
【手続補正２】
【補正対象書類名】明細書
【補正対象項目名】００１７
【補正方法】変更
【補正の内容】
【００１７】
本発明の鍵つまみ部カバーは、
鍵つまみ部を収納し、収納された上記鍵つまみ部の面を両側から挟む第１と第２の押さえ板と、
上記第１と第２の押さえ板が上記鍵つまみ部の面を両側から挟んだ状態で、上記第１と第２の押さえ板の少なくとも外周部全体を、柔軟素材を用いて外側から密着して覆うカバー部と、
を備えたことを特徴とする。
【手続補正３】
【補正対象書類名】明細書
【補正対象項目名】００１８
【補正方法】変更
【補正の内容】
【００１８】
圧接部となる第１と第２の押さえ板が収納された上記鍵つまみ部の面を両側から挟み圧接することで、鍵つまみ部を固定する。さらに、カバー部で上記第１と第２の押さえ板の少なくとも外周部全体を、柔軟素材を用いて外側から密着して覆うことで、上記圧接部が圧接する上記鍵つまみ部の面への圧接力を保持する。
【手続補正４】
【補正対象書類名】明細書
【補正対象項目名】００１９
【補正方法】変更
【補正の内容】
【００１９】
また、上述したように、上記カバー部は、上記圧接部に密着する柔軟素材を用いていることを特徴とする。